(57)【要約】【課題】複数の玩具から１度の対価の支払いに応じて１つだけを排出する販売装置において、購入者に興趣性のある玩具セットを提供する。【解決手段】玩具セット１の複数の模型キット２は、内部構造を構成する複数の第１の模型キット４と、外部構造を構成する複数の第２の模型キット６及び第３の模型キット８と、を含み、第２の模型キット６及び第１の模型キット４、並びに、第３の模型キット８及び第１の模型キット４は、互いに組み立て可能に構成され、第２の模型キット６及び第３の模型キット８は、互いに交換可能な第１の交換可能部品６Ａ，６Ｂ及び第２の交換可能部品８Ａ，８Ｂを有し、第２の交換可能部品８Ａ，８Ｂは、第１の交換可能部品６Ａ，６Ｂよりも光透過度が高く、第１の模型キット４に組み合わせたとき、第１の模型キット４が第２の交換可能部品８Ａ，８ＡＢを通して視認可能に構成される。【選択図】図７
2020044100.tif 000002
【特許請求の範囲】
【請求項１】
複数の模型キットを有し、前記模型キットのいずれかが１つずつ排出されて販売される販売装置の収容部に収容されるための玩具セットであって、前記複数の模型キットは、
所定の形象物の内部構造の少なくとも一部を構成する第１の形態を呈する複数の第１の模型キットと、
所定の形象物の外部構造の少なくとも一部を構成する第２の形態を呈する複数の第２の模型キットと、
所定の形象物の外部構造の少なくとも一部を構成する、前記第２の形態とは異なる第３の形態を呈する複数の第３の模型キットと、を含み、
前記第２の模型キットの少なくとも一部及び前記第１の模型キットの少なくとも一部は、互いに組み合わせられることにより第４の形態に組立可能に構成され、
前記第３の模型キットの少なくとも一部及び前記第１の模型キットの少なくとも一部は、互いに組み合わせられることにより第５の形態に組み立て可能に構成され、
前記第２の模型キット及び前記第３の模型キットは、前記第４または第５の形態において、互いに交換可能な第１の交換可能部品及び第２の交換可能部品を有し、
前記第２の交換可能部品は、前記第１の交換可能部品よりも光透過度が高く、前記第１の模型キットに組み合わせたとき、前記第１の模型キットが前記第２の交換可能部品を通して視認可能に構成される、
ことを特徴とする玩具セット。
【請求項２】
前記第２の交換可能部品は、透明である、
請求項１に記載の玩具セット。
【請求項３】
前記模型キットは、前記収容部から前記販売装置の排出口を通って外部に排出される際の外形形状を形成する排出形態に変形可能である、
請求項１または請求項２に記載の玩具セット。
【請求項４】
前記第１の交換可能部品または前記第２の交換可能部品は、前記外部構造を所定方向から見たときの前記外部構造の左半分または右半分の少なくとも一部を構成する、
請求項１から請求項３のいずれか１項に記載の玩具セット。
【発明の詳細な説明】
【技術分野】
【０００１】
本発明は、複数の模型キットを含む玩具セットに関し、より具体的には、複数の模型キットのいずれか１つを排出する販売装置に収容されるための玩具セットに関する。
【背景技術】
【０００２】
従来、複数の玩具を連結して組み立てることが可能な玩具がある。例えば特許文献１に記載の玩具は、主玩具体と副玩具体とが分離連結可能に構成されている。このような組立玩具は、通常、主玩具体と副玩具体とがセットとして販売されているか、または主玩具体と副玩具体とを購入者が選択して購入できるようになっている。
【先行技術文献】
【特許文献】
【０００３】
【特許文献１】特開２０１８−８６１２０号
【発明の概要】
【発明が解決しようとする課題】
【０００４】
ところで、玩具の販売装置として、玩具を１つずつカプセル等に収納して、複数のカプセルから１度の対価の支払いに応じて１つだけを排出する販売装置がある。このような販売装置において玩具を購入する場合、購入する玩具を選択することができない。このため、例えば、前述のような組立可能な玩具を販売する場合、同じ主玩具体または同じ副玩具体が複数排出されることに対して購入者に興趣性を抱いてもらうことは難しい。
本発明の目的は、複数の玩具から１度の対価の支払いに応じて１つだけを排出する販売装置において、購入者に興趣性のある玩具セットを提供することにある。
【課題を解決するための手段】
【０００５】
本発明の玩具セットは、複数の模型キットを有し、模型キットのいずれかが１つずつ排出されて販売される販売装置の収容部に収容されるための玩具セットであって、複数の模型キットは、所定の形象物の内部構造の少なくとも一部を構成する第１の形態を呈する複数の第１の模型キットと、所定の形象物の外部構造の少なくとも一部を構成する第２の形態を呈する複数の第２の模型キットと、所定の形象物の外部構造の少なくとも一部を構成する、第２の形態とは異なる第３の形態を呈する複数の第３の模型キットと、を含み、第２の模型キットの少なくとも一部及び第１の模型キットの少なくとも一部は、互いに組み合わせられることにより第４の形態に組立可能に構成され、第３の模型キットの少なくとも一部及び第１の模型キットの少なくとも一部は、互いに組み合わせられることにより第５の形態に組み立て可能に構成され、第２の模型キット及び第３の模型キットは、第４または第５の形態において、互いに交換可能な第１の交換可能部品及び第２の交換可能部品を有し、第２の交換可能部品は、第１の交換可能部品よりも光透過度が高く、第１の模型キットに組み合わせたとき、第１の模型キットが第２の交換可能部品を通して視認可能に構成される、ことを特徴としている。
【０００６】
本発明において、好ましくは、第２の交換可能部品は透明である。
【０００７】
本発明において、好ましくは、模型キットは、収容部から販売装置の排出口を通って外部に排出される際の外形形状を形成する排出形態に変形可能である。
【０００８】
本発明において、好ましくは、第１の交換可能部品または第２の交換可能部品は、外部構造を所定方向から見たときの外部構造の左半分または右半分の少なくとも一部を構成する。
【０００９】
本発明は、購入者に興趣性のある玩具セットを提供することができる。
【図面の簡単な説明】
【００１０】
【図１】本発明の一実施形態に係る玩具セットが収納される販売装置を示す図である。
【図２】本発明の一実施形態に係る第１の模型キットを示す図である。
【図３】本発明の一実施形態に係る第２の模型キットを示す図である。
【図４】本発明の一実施形態に係る第３の模型キットを示す図である。
【図５】本発明の一実施形態に係る第１の模型キットと第２の模型キットを組み合わせた状態を示す図である。
【図６】本発明の一実施形態に係る第１の模型キットと第３の模型キットを組み合わせた状態を示す図である。
【図７】本発明の一実施形態に係る第１の交換可能部品と第２の交換可能部品とを交換した状態を示す図である。
【発明を実施するための形態】
【００１１】
以下、本発明の好ましい実施形態を添付図面を参照して説明する。
図１は、本発明の一実施形態に係る玩具セット１が収納される販売装置１００を示す図である。販売装置１００は、図１では上下に２つ重ねられており、それぞれの販売装置１００は、上部に、複数の模型キット２で構成される玩具セット１が収納される収納部１０２と、コインを投入するための投入口１０４と、コインを投入した後販売装置１００を作動させるためのハンドル１０６と、複数の模型キット２のいずれか１つを排出するための排出口１０８と、を有する。本実施形態では、玩具セット１の個々の模型キット２は、それぞれカプセル１１０に収納されて収納部１０２に収納され、カプセル１１０に収容された状態で排出口から排出可能となっている。
【００１２】
複数の模型キット２は、所定の形象物の内部構造の少なくとも一部を構成する第１の形態を呈する複数の第１の模型キット４と、所定の形象物の外部構造の少なくとも一部を構成する第２の形態を呈する複数の第２の模型キット６と、所定の形象物の外部構造の少なくとも一部を構成する複数の第３の模型キット８とを有する。
図２は、本発明の一実施形態に係る第１の模型キット４を示す図である。図２に示すように、本実施形態では、第１の模型キット４は、ほぼ全体がロボットの左右対称の形状の内部構造を構成するものであり、図２に示すような肩から上の内部構造の形態で第１の形態を呈する。
【００１３】
図３は、本発明の一実施形態に係る第２の模型キット６を示す図である。図３に示すように、本実施形態では、第２の模型キット６は、ロボットの左右対称の形状の外部構造を構成する第２の形態を呈する。第２の模型キット６には、目と耳と口の部分に孔１０，１２，１４を有し、ロボットの外部構造を所定方向（本実施形態では正面）から見たとき、前後方向の中心面で分割された、左半分の部品６Ａ及び右半分の部品６Ｂに分割可能となっている。また、第２の模型キット６は不透明な材料で形成されている。
図４は、本発明の一実施形態に係る第３の模型キット８を示す図である。図４に示すように第３の模型キット８は、第２の模型キット６と同じ形状の第３の形態を呈する。第３の模型キット８は、目、耳、及び口の部分に孔１６，１８，２０を有し、ロボットの外部構造を所定方向（本実施形態では正面）から見たとき、前後方向の中心面で分割された、左半分の部品８Ａ及び右半分の部品８Ｂに分割可能となっている。一方、第３の模型キット８は、第２の模型キット６と異なり、透明な材料で形成されている。したがって第３の模型キット８は、第２の模型キット６の光透過度よりも高い光透過度を有し、第３の模型キット８の第３の形態は、第２の模型キット６の第２の形態とは異なる形態である。
【００１４】
このような第１乃至第３の模型キット４，６，８は、それぞれ第１乃至第３の形態を有し、第１乃至第３の模型キット４，６，８のいずれかが販売装置１００から排出された場合には、これらそれぞれをそのままで玩具として使用することができる。
【００１５】
また、第２及び第３の模型キット６，８は、第１の模型キット４と組み合わせ可能に構成されている。
図５は、本発明の一実施形態に係る第１の模型キット４と第２の模型キット６とを組み合わせた状態を示す図である。図５に示すように、第１の模型キット４の外側に第２の模型キット６を組み立てると、第２の模型キット６の孔１０，１２，１４から第１の模型キット４の一部が露出する、第４の形態を呈する。したがって、孔１０，１２，１４から露出する第１の模型キット４の部分は、外部構造を構成するともいえる。
【００１６】
図６は、本発明の一実施形態に係る第１の模型キット４と第３の模型キット８とを組み合わせた状態を示す図である。図６に示すように、第１の模型キット４の外側に第３の模型キット８を組み立てると、第３の模型キット８の孔１６，１８，２０から第１の模型キット４の一部が露出する、第５の形態を呈する。第３の模型キット８は、全体が透明な材料で形成されているので、第５の形態では、第１の模型キット４の全体が第３の模型キット８を通して視認可能となる。
【００１７】
更に本実施形態では、第２の模型キット６の左右に分割可能な部品６Ａ，６Ｂは、第３の模型キット８の左右に分割可能な部品８Ａ，８Ｂと交換可能に構成されている。したがって、部品６Ａ，６Ｂ，８Ａ，８Ｂは、本実施形態においては、それぞれ第１の交換可能部品及び第２の交換可能部品である。
図７は、本発明の一実施形態に係る第１の交換可能部品と第２の交換可能部品とを交換した状態を示す図である。この図７は、第４の形態において右側の部品６Ｂを、第２の交換可能部品である部品８Ｂと交換した第６の形態を示す図ともいえ、また第５の形態において左側の部品６Ａを、第１の交換可能部品である部品８Ａと交換した第７の形態を示す図ともいえる。
このように、第１の交換可能部品６Ａ，６Ｂは、第２の交換可能部品８Ａ，８Ｂと交換可能である。
【００１８】
以上のように、本実施形態の玩具セット１では、第１の模型キット４による第１の形態、第２の模型キット６による第２の形態、第３の模型キット８による第３の形態をとることができる。また、第１の模型キット４に第２の模型キット６を組み合わせた第４の形態、及び第１の模型キット４に第３の模型キット８を組み合わせた第５の形態をとることができる。さらに、第４の形態または第５の形態において第２の模型キット６の第１の交換可能部品６Ａ，６Ｂを第３の模型キット８の第２の交換可能部品８Ａ，８Ｂと交換した第６または第７の形態をとることができる。よって、本実施形態他の玩具セット１は、計７種類の形態を実現することができる。
【００１９】
このように構成された本実施形態によれば、次のような優れた効果を得ることができる。本実施形態においては、玩具セット１は、所定の形象物の内部構造の少なくとも一部を構成する第１の模型キット４と、所定の形象物の外部構造の少なくとも一部を構成する第２及び第３の模型キット６，８と、を有する。玩具セット１は、第１乃至第３の模型キット４，６，８をそれぞれ複数含んで構成される。このような玩具セット１を販売装置１００の収納部に収容し、購入者が販売装置１００を操作すると、第１乃至第３の模型キットのいずれか１つが排出される。このとき、第１の模型キット４は内部構造の少なくとも一部を構成し、第２及び第３の模型キット６，８は、外部構造の少なくとも一部を構成するが、互いに異なる形態を呈するので、第１乃至第３の模型キット４，６，８はそれぞれ異なる形態を呈する。したがって、販売装置１００がこれらを１つずつ排出する場合には、購入者が同じ形態の模型を手に入れることはなく、失望感も覚えない。
次に、本実施形態では、第２の模型キット６の少なくとも一部及び第１の模型キット４の少なくとも一部が互いに組み合わせられることにより第４の形態に組み立てられる。また、第３の模型キット８の少なくとも一部及び第１の模型キット４の少なくとも一部が互いに組み合わせられることにより、第５の形態に組み立てられる。したがって、販売装置１００から同じ模型キットが複数排出された場合には、他の模型キットと組み合わせることができる。例えば第１の模型キット４が２つ排出された場合には、一方の第１の模型キット４をそのままの第１の形態で所持し、もう１つの第１の模型キット４を第２または第３の模型キット６，８と組み合わせて第４又は第５の形態で所持することができる。このように、第２及び第３の模型キット６，８の少なくとも一部が第１の模型キット４と組立可能に構成されることにより、模型キットの形態のバリエーションが増え、購入者が同じ模型を複数購入したことによる失望感が軽減される。
別言すれば、玩具セット１は、第１の模型キット４と、第２の模型キット６と、第３の模型キット８を複数個ずつ有し、第１の模型キット４と第２の模型キット６とを組み合わせることにより第４の形態に組み立てることができ、第１の模型キット４と第３の模型キット８とを組み合わせることにより第５の形態に組み立てることができる。したがって、複数の模型キット２の中から１つずつ任意の模型キット４，６，８を排出する販売装置１００で模型キット４，６，８を販売する場合、販売装置１００から模型キット２が重複して排出された場合でも、そのままの形態のまま楽しむことができる他、他の模型キット２と組み合わせて他の形態に組み立てることができる。具体的には、例えば第１の模型キット４が重複して排出がされた場合、第１の形態のまま楽しむことができる他、第２の模型キット６または第３の模型キット８と組み合わせて第４の形態や第５の形態で楽しむことができる。したがって、購入者に興趣性のある玩具セットを提供することができる。さらに、販売装置１００から模型キット２が重複して排出された場合、購入者が同じ模型キット２を入手したことに対して失望感を抱く場合が想定されるが、本実施形態における玩具セットであれば、重複した模型キットが無駄にならず、購入者が感じる失望感を軽減することができる。
【００２０】
更に、本実施形態では、第２の模型キット６及び第３の模型キット８は、第４または第５の形態において、互いに交換可能な第１の交換可能部品６Ａ，６Ｂ及び第２の交換可能部品８Ａ，８Ｂを有する。したがって、第２の模型キット６または第３の模型キット８を第１の模型キット４に組み合わせた状態で、第１の交換可能部品６Ａ，６Ｂと第２の交換可能部品８Ａ，８Ｂとを交換して組み立てることができる。これによっても、模型キットの形態のバリエーションが増え、購入者が同じ模型を複数購入したことによる失望感が軽減される。
そして、本実施形態では、第２の交換可能部品８Ａ，８Ｂは、第１の交換可能部品６Ａ，６Ｂよりも光透過度が高く、第２の交換可能部品８Ａ，８Ｂを第１の模型キット４に組み合わせたとき、第１の模型キット４が第２の交換可能部品８Ａ，８Ｂを通して視認可能になるので、購入者は第２の交換可能部品８Ａ，８Ｂを通して内部構造を観察することができ、模型キットを組み合わせる楽しみを得ることができる。
別言すれば、第２の模型キット６及び第３の模型キット８が、互いに交換可能な第１の交換可能部品６Ａ，６Ｂ及び第２の交換可能部品８Ａ，８Ｂを有するので、第４の形態において第１の交換可能部品６Ａ，６Ｂを第２の交換可能部品８Ａ，８Ｂと交換することにより、第６の形態に組み立てることができ、また第５の形態において第２の交換可能部品８Ａ，８Ｂを第１の交換可能部品６Ａ，６Ｂと交換することにより、第７の形態に組み立てることができる。これによっても、重複した模型キットを他の形態に組み立てて楽しむことができ、購入者が感じる失望感を軽減することができる。
【００２１】
また、第３の模型キット８が、第２の模型キット６よりも光透過度が高く構成されており、具体的には、第３の模型キット８が透明な材料で形成されているので、第５乃至第７の形態では、第３の模型キット８が構成する外部構造を通して第１の模型キット４が構成する内部構造を視認できる。したがって、購入者は第１の模型キット４と第３の模型キット８とを組み合わせることにより、第３の模型キット８だけの場合とは異なる外観を楽しむことができる。また、第３の模型キット８が透明な材料で形成されているので、第１の模型キット４の内部構造が見やすい。
さらに、第２の模型キット６と第３の模型キット８を構成する全ての部品の形状を一致させ、交換可能にしておくことで、第２の模型キット６と第３の模型キット８を構成する部品間で購入者が任意に所望の部品を交換させて楽しむことができ、かつ、交換後の形態において形状の違和感なく楽しむことができる。
【００２２】
第１の交換可能部品６Ａ，６Ｂと、第２の交換可能部品８Ａ，８Ｂが、外部構造を構成するロボットを正面から見たときに、それぞれロボットの左半分及び右半分を構成しているので、第１の交換可能部品６Ａ，６Ｂと第２の交換可能部品８Ａ，８Ｂを交換したとき、ロボットを正面から見ると、左右で外観が異なるようになる。つまり、本実施形態では、第１の交換可能部部品６Ａ，６Ｂは不透明で第２の交換可能部品８Ａ，８Ｂは透明であるので、左半分及び右半分の一方は外部構造が見え、他方は外部構造を通して内部構造が見える。したがって、購入者は、ロボットを正面から見た状態で左右の外観の違いを楽しむことができる。
【００２３】
本発明は、以上の実施の形態に限定されることなく、例えば、以下のような態様であってもよい。
第１乃至第３の模型キットは１つの部品で第１乃至第３の形態を呈していてもよいが、これに限らず、それぞれ複数の部品を含み、部品を組み立てることによって第１乃至第３の形態を呈するように構成されていてもよい。この場合には、第２及び第３の模型キットは、複数の部品のうちの少なくとも一部が第１の模型キットの複数の部品の少なくとも一部と互いに組み合わせられるように構成されていてもよい。
【００２４】
前述の実施形態では、第１の模型キット４は、目１０及び耳１２の一部が外部構造を構成していたが、これに限らず、例えば他の部分が外部構造を構成していてもよく、あるいは全部が内部構造を構成していてもよい。要するに、第１の模型キットは、内部構造の少なくとも一部を構成していればよい。
また、前述の実施形態では、第２の模型キット及び第３の模型キットは、全部が外部構造を構成するようになっていたが、これに限らず例えば一部が内部構造を構成していてもよい。要するに、第２及び第３の模型キットは、外部構造の少なくとも一部を構成していればよい。
【００２５】
前述の実施形態では、第２の模型キットと第３の模型キットはそれぞれ不透明及び透明の形態を有していたが、これに限らず、例えば互いに異なる光透明度を有するものであってもよい。また、第２の形態と第３の形態は、前述の実施形態では、同じ形状で透明、不透明の違いがあったが、これに限らず、例えば互いに異なる形状であってもよいし、互いに異なる色を有していてもよい。つまり、本発明において形態とは、光透過度を指すものに限らず、形状や色彩であってもよい。したがって、第２の模型キットと第３の模型キットは、例えば両方とも不透明の材料で形成される等、同じ光透過度を有するが、色彩が互いに異なることにより、互いに異なる形態を有していてもよい。
また、第１の交換可能部品及び第２の交換可能部品は、前述の実施形態では同じ形状のものであったが、これに限らず、互いに交換可能に構成されていれば、異なる形状のものであってもよい。
【００２６】
前述の実施形態では、模型キット４，６，８は、カプセル１１０に収納され、収納部１０２から排出口１０８を通って外部に排出可能であったが、本発明ではこれに限らず、販売装置の収容部に収容する際の形状は、カプセル１１０に収容されず、模型キット４，６，８により構成される形状自体が収納部１０２から排出口１０８を通って外部に排出される際の外形形状を形成する排出形態に変形可能であってもよい。排出形態としては、略球状や略円柱状を例示することができる。このような例としては、例えば模型キット４，６，８が複数の部品で構成されこれらの部品を組み立てることにより略球状や略円筒状等の排出形態に変形するものや、模型キット４，６，８を折り曲げる等して排出形態に変形するもの等が挙げられる。このようにすることにより、カプセル１１０なしで模型キット４，６，８を提供可能になるので、購入者は、模型キット４，６，８が略球状や略円柱状等の排出形態から、第１乃至第３の形態へと変化させることを楽しむことができる。
【００２７】
前述の実施形態では、第１の交換可能部品６Ａ，６Ｂは、第２の模型キット６の残り６Ｂ，６Ａと同じ形状であったが、これに限らず、第１の交換可能部品と第２の模型キットの残りの部分との形状が異なっていてもよい。第３の模型キット及び第２の交換可能部品の関係にも同じことがいえる。
また、第１の交換可能部品６Ａ，６Ｂは、ロボットを正面から見たときの外部構造の左半分または右半分を構成していたが、これに限らず、例えばロボットを横方向から見たときの、左半分または右半分を構成していてもよい。あるいは、第１の交換可能部品６Ａ，６Ｂは、外部構造の左半分または右半分全体を構成しているものに限らず、外部構造の左半分または右半分を複数の部品から構成してもよい。要するに、第１の交換可能部品６Ａ，６Ｂは、外部構造の左半分または右半分の少なくとも一部を構成していればよい。第３の模型キット及び第２の交換可能部品の関係にも同じことがいえる。
【符号の説明】
【００２８】
１  玩具セット
２  模型キット
４  第１の模型キット
６  第２の模型キット
８  第３の模型キット
【図１】
2020044100.tif 000003
【図２】
2020044100.tif 000004
【図３】
2020044100.tif 000005
【図４】
2020044100.tif 000006
【図５】
2020044100.tif 000007
【図６】
2020044100.tif 000008
【図７】
2020044100.tif 000009